(57)【特許請求の範囲】
【請求項１】
放射性薬液を封入した放射性薬液封入容器を収納する一端に開口部を有する容器であり上記放射性薬液から放射される放射線の遮蔽を行う遮蔽体を内面に有する本体側容器（３ａ、１３、２３）と、上記開口部を密封する蓋側容器（３ｂ、１５，２５）とを有する外部容器（３，１８，２８）と、
上記放射性薬液封入容器の外面と上記外部容器の内面とのすき間に設けられ上記放射性薬液封入容器と上記遮蔽体との間の衝撃力を吸収するとともに上記放射性薬液を吸収したときには膨張する吸水性ポリマーを有し、上記外部容器の内面に接触しかつ上記放射性薬液封入容器の外面に非接触なすき間であり上記膨張時には上記放射性薬液封入容器の外面に接触するすき間（７、１７ａ、１７ｂ、２７）をあけて上記外部容器に設けられる吸収部材（１，１１，２１）と、
を備えたことを特徴とする放射性薬液封入容器用輸送容器。
【請求項２】
上記吸収部材が上記放射性薬液封入容器の側面に対向して配置される場合、上記吸収部材には上記放射性薬液封入容器の軸方向の少なくとも一箇所に上記放射性薬液封入容器側へ突出し上記膨張時には上記放射性薬液封入容器の外面に接触するすき間をあけて形成される突出部（１ａ，１１ａ）を備えた、請求項１記載の放射性薬液封入容器用輸送容器。
【請求項３】
上記放射性薬液封入容器は当該放射性薬液封入容器の側面に凹部（８）を有し、かつ上記吸収部材は上記放射性薬液封入容器の側面及び底面に対向して配置され上記底面に対向して配置される上記吸収部材は上記放射性薬液封入容器の底面と接触し、かつ上記突出部は上記凹部に対応する位置に形成され上記放射性薬液封入容器が上記外部容器から排出されるとき上記凹部と当接し上記放射性薬液封入容器が上記本体側容器から排出されるのを防止する、請求項２記載の放射性薬液封入容器用輸送容器。
【請求項４】
上記突出部にのみ吸水性ポリマーを配した請求項２又は３記載の放射性薬液封入容器用輸送容器。
【請求項５】
上記蓋側容器の内側であって上記放射性薬液封入容器に対向する部分には上記吸収部材を設けた、請求項１から４のいずれかに記載の放射性薬液封入容器用輸送容器。
【請求項６】
上記吸水性ポリマーは自重の１０倍以上の吸収能力を有する、請求項１から５のいずれかに記載の放射性薬液封入容器用輸送容器。
【請求項７】
上記吸収部材は吸水性ポリマーがシート状構造物に含有されてなる、請求項１から６のいずれかに記載の放射性薬液封入容器用輸送容器。
【請求項８】
上記吸収部材は、繊維状基材に吸水性ポリマーを固着してなる、請求項１から６のいずれかに記載の放射性薬液封入容器用輸送容器。
【請求項９】
上記吸収部材は、スポンジ状基材に吸水性ポリマーを固着してなる、請求項１から６のいずれかに記載の放射性薬液封入容器用輸送容器。
【請求項１０】
上記吸収部材には上記放射性薬液に含まれる放射性金属イオンを捕捉するイオン交換樹脂を備えた、請求項１から９のいずれかに記載の放射性薬液封入容器用輸送容器。
【発明の詳細な説明】
【０００１】
【産業上の利用分野】
本発明は、放射性薬液封入容器の輸送中あるいは保管中における該放射性薬液封入容器の保護および破損時等における汚染防止を施した放射性薬液封入容器用輸送容器に関わる。
【０００２】
【従来の技術とその課題】
従来、放射性薬液封入容器は、例えば濾紙等の適当な放射性薬液吸収体が内部に設けられ、さらに放射線遮蔽体を備えた外部容器内に収納される。しかしながら、上述した濾紙等の吸収体では、上記放射性薬液封入容器が外部からの衝撃等により破損したり、あるいは上記放射性薬液封入容器の栓部材が緩む等、何らかの原因で上記放射性薬液封入容器が液漏れを起こした場合、収納物である放射性薬液を十分に吸収することができず上記外部容器外へ漏出させてしまう恐れがあり、放射性汚染物を増加させる危険性があるという問題点がある。
本発明はこのような問題点を解決するためになされたもので、放射性薬液を封入した放射性薬液封入容器の輸送中や保存中に放射性薬液封入容器が破損することを防ぐと共に、万一放射性薬液封入容器が破損したり、あるいは何らかの原因で液漏れを起こした場合にも収納している放射性薬液が放射線遮蔽容器外へ漏出し、放射性汚染物を増加させる危険性の無い放射性薬液封入容器用輸送容器を提供することを目的とする。
【０００３】
【課題を解決するための手段】
本発明は、放射性薬液を封入した放射性薬液封入容器を収納する一端に開口部を有する容器であり上記放射性薬液から放射される放射線の遮蔽を行う遮蔽体を内面に有する本体側容器と、上記開口部を密封する蓋側容器とを有する外部容器と、
上記放射性薬液封入容器の外面と上記外部容器の内面とのすき間に設けられ上記放射性薬液封入容器と上記遮蔽体との間の衝撃力を吸収するとともに上記放射性薬液を吸収したときには膨張する吸水性ポリマーを有し、上記外部容器の内面に接触しかつ上記放射性薬液封入容器の外面に非接触なすき間であり上記膨張時には上記放射性薬液封入容器の外面に接触するすき間をあけて上記外部容器に設けられる吸収部材と、
を備えたことを特徴とする。
【０００４】
【作用】
このように構成することで吸収部材は、放射性薬液封入容器と上記遮蔽体との間の衝撃力を吸収するとともに放射性薬液封入容器が破損したり、液漏れを起こしたりして放射性薬液を吸収したときには膨張する。よって吸収部材及び外部容器は、放射性薬液を封入した放射性薬液封入容器の輸送中や保存中に放射性薬液封入容器が破損することを防ぐと共に、万一放射性薬液封入容器が破損したり、液漏れを起こした場合にも収納している放射性薬液が放射線遮蔽容器外へ漏出するのを防止するように作用する。
【０００５】
【実施例】
本発明の放射性薬液封入容器用輸送容器の一実施例について図を参照し以下に説明する。
本実施例の放射性薬液封入容器用輸送容器としては、例えば図１ないし図５に示すような形態のものがある。図１ないし図５に示す放射性薬液封入容器用輸送容器のそれぞれは、放射性薬液が封入された放射性薬液封入容器と、上記放射性薬液封入容器を収納し上記放射性薬液から放射される放射線の遮蔽を行う遮蔽体を有すると共に外部からの衝撃により上記放射性薬液封入容器が破損することを防ぐ外部容器と、上記外部容器の内面と上記封入容器の外面との間に配置される吸収部材とを備えている。
【０００６】
上記放射性薬液封入容器は、放射性薬液を収納し得る容器であれば、図１等に示す外形に限られずその大きさ、形状、材質等において特に制限なく用いることができ、例えば、ガラス、プラスチック、金属製等の容器が挙げられる。
上記外部容器は、外部からの衝撃により上記放射性薬液封入容器が破損することを防ぐのに十分な強度を有し、上記放射性薬液封入容器を収納した際に当該外部容器と上記放射性薬液封入容器との間に上記吸収部材を設けることのできるものである。このような外部容器としては、例えば、鉛やタングステン等の放射線遮蔽体を有する容器が挙げられ、蓋付きの容器を用いることが望ましい。また、容器の材料として前記鉛やタングステンに加えてその他の金属やプラスチック等の材料を併用することもできる。
【０００７】
上記吸収部材は、吸水性ポリマーを有し、上記放射性薬液封入容器と上記外部容器との間に配置することができる。上記吸収部材は、上記放射性薬液封入容器と上記外部容器との少なくとも一方に全面的または部分的に密着、接触していることが好ましい。このように設けられた上記吸収部材は、放射性薬液が注入されている上記放射性薬液封入容器の輸送中や保存中に、上記外部容器への振動や上記外部容器の落下等により収納されている放射性薬液封入容器が破損することを防止すると共に、万一、上記放射性薬液封入容器が破損したり、液漏れを起こしたりして内部の放射性薬液が漏出した際には素早くこれを吸収し外部容器の外部を汚染することがないように作用する。また、上記吸水性ポリマーのゲル弾性をコントロールすることによって上記放射性薬液封入容器と上記外部容器との間に摩擦抵抗を生じさせ、上記放射性薬液封入容器や上記吸収部材が上記外部容器から抜け落ちたりすることを防ぐようにすることも可能である。また、必要に応じて上記放射性薬液封入容器を上記外部容器から取り出したり、戻したりすることが可能である。
【０００８】
又、上記吸収部材は、イオン交換樹脂を含むことで放射性薬液中の放射性金属イオンを捕捉するように構成することもできる。例えば上記外部容器の底部に設けられた吸収部材に上記イオン交換樹脂を配することで、万一、放射性薬液封入容器が破損したり、液漏れを起こしたりして放射性薬液が流出した場合であっても当該放射性薬液中の放射性金属イオンを上記底部に集中させることができる。イオン交換樹脂としては、スチレン系強酸性陽イオン交換樹脂（Ｎａ型）、メタクリル酸系弱酸性陽イオン交換樹脂（Ｈ型）、アクリル酸系弱酸性陽イオン交換樹脂等の陽イオン交換樹脂若しくは重金属イオンに対して選択性の大きいイミノジ酢酸型やポリアミン型のキレート樹脂を用いることができる。
【０００９】
上記吸水性ポリマーは、水に不溶で水に接して多量の水を吸収し、自重の１０倍以上の吸水能力を有するものが好ましく、例えば、ポリアクリル酸部分中和物架橋体、澱粉−アクリロニトリルグラフト重合体の加水分解物、酢酸ビニル−アクリル酸エステル共重合体のケン化物、アクリロニトリル共重合体もしくはアクリルアミド共重合体の加水分解物またはこれらの架橋体、イソブチレン−無水マレイン酸共重合架橋体、ポリエチレンオキサイド架橋体等が挙げられる。
また、上記吸水性ポリマーの形状は、特に制限されず、粉状、粉粒状、粒状、ブロック状、燐片状、繊維状、シート状等の形状のものが使用され得るが、取扱い性や吸水後の処理などの観点から紙や不織布等の繊維状基材やスポンジ状基材等のシート状構造物に含有させたものが好ましい。
【００１０】
上記吸水性ポリマーがシート状構造物に含有された上記吸収部材としては、紙や不織布等の間に吸水性ポリマーを挾持したものや、紙や不織布等の繊維状基材やスポンジ状基材に吸水性ポリマーが直接固着したものが挙げられる。中でも、繊維状基材もしくはスポンジ状基材に上記吸水性ポリマーを固着してなる上記吸収部材が好ましい。
【００１１】
こうした吸収部材は、吸水性ポリマーに転換し得る水溶性エチレン性不飽和モノマーや水溶性ポリマーを前記基材に付着した後、公知の手段により重合、架橋して得られる。繊維状基材としては、例えば、紙やポリエチレン、ポリプロピレン、ポリエステル、ナイロン、アクリル、レーヨン、パルプ等の繊維からなる不織布や織布等が挙げられ、スポンジ状基材としてはウレタンやセルロース等からなるスポンジが挙げられる。
【００１２】
吸水性ポリマーに転換し得るポリマーとしては、ポリアクリル酸塩に代表される水溶性ポリマーが挙げられ、上述した種々の基材に付着した後、多価エポキシ化合物や多価アミン等の存在下加熱もしくは電子線やγ線等の活性エネルギー照射線を照射することにより架橋し、吸収体とすることができる。
【００１３】
吸水性ポリマーに転換し得るモノマーとしては、アクリル酸、メタクリル酸、２−（メタ）アクリルアミド−２−メチルプロパンスルホン酸、２−（メタ）アクリロイルアルカンスルホン酸およびそれらのアルカリ金属又はアンモニウム塩、アクリルアミドから選ばれる１種または２種以上、もしくはアクリル酸、メタクリル酸、２−（メタ）アクリルアミド−２−メチルプロパンスルホン酸、２−（メタ）アクリロイルアルカンスルホン酸およびそれらのアルカリ金属及びアンモニウム塩、アクリルアミドから選ばれる１種または２種以上が挙げられる。上述した基材に付着したモノマーを重合する方法としては、公知の方法を用いることができ、電子線や紫外線照射により重合する方法や開始剤の存在下加熱することにより重合する方法が挙げられる。重合する際にメチレンビスアクリルアミドや（ポリ）エチレングリコールジ（メタ）アクリレート等に代表される分子内にエチレン性不飽和基を２個以上有する架橋剤を用いることもできる。架橋剤の使用は吸収体の衝撃吸収性や耐久性、吸水性ポリマーのゲル弾性を適宜コントロールすることができ好ましい。
【００１４】
こうした吸収部材は、シート状であるので取り扱い易く、バインダーを用いることなく吸水性ポリマーが基材に直接固着しているので吸水性ポリマーの吸水能が阻害されることがなく、上記放射性薬液封入容器から放射性薬液が流出したとき素早く吸収し外部容器から漏出することを防止することができる。また、吸水性ポリマーを基材に直接固着させたゲル弾性を有する吸収部材では放射性薬液封入容器が抜け落ちたり、放射性薬液を吸収したポリマーが容器外にこぼれ落ちたりすることがなく二次汚染の恐れがなく、また、吸収後の吸収体の処理も容易である。
【００１５】
又、上記放射性薬液は、トリチウム、ヨウ素、ガリウム等の放射性同位元素を含む水性液体あるいは懸濁液である。放射性薬液としては、例えば、クロム酸ナトリウム（５１Ｃｒ）注射液、クエン酸ガリウム（６７Ｇａ）注射液、セレノメチオニン（７５Ｓｅ）注射液、過テクネチウム酸ナトリウム（９９ｍＴｃ）注射液、ヨウ化ナトリウム液（１３１Ｉ）、ヨウ化ヒプル酸ナトリウム（１３１Ｉ）注射液、ヨウ化人血清アルブミン（１３１Ｉ）注射液、キセノン（１３５Ｘｅ）注射液、金コロイド（１９６Ａｕ）注射液、塩化タリウム（２０１Ｔｌ）注射液、塩化インジウム（１１１Ｉｎ）注射液、クエン酸第二鉄（５９Ｆｅ）注射液等の放射性医薬品が挙げられる。尚、放射性薬液はこれらに限定されるものではない。
【００１６】
次に、図１ないし図５に示す放射性薬液封入容器用輸送容器について説明する。尚、吸収部材、放射性薬液、外部容器については上述したそれぞれのものを使用する。
図１に示す放射性薬液封入容器用輸送容器９において、放射性薬液封入容器２はガラス製であり広口びん形状のバイアルであり、外部容器３はコップ状の本体側容器３ａと蓋側容器３ｂとを有する鉛製である。又、蓋側容器３ｂの内側であり放射性薬液封入容器２に対面する部分には上述した吸水性ポリマーを有する吸収部材６が取り付けられていてもよい。
放射性薬液封入容器２と外部容器３とのすき間には、上述した吸水性ポリマーを有する吸収部材１が本体側容器３ａの内面に沿って取り付けられる。即ち、該吸収部材１は、本体側容器３ａの内面に固定され放射性薬液封入容器２の外面と部分的に接触するか若しくは上記外面との間には１ｍｍ程度のすき間７をあけて取り付けられ、又、放射性薬液封入容器２の底面２ａ側にも取り付けられており上記底面２ａは吸収部材１に接触している。尚、すき間７は、万一、放射性薬液封入容器２が破損したり、液漏れを起こしたりして吸収部材１が内部の放射性薬液を吸水したときには吸収部材１の放射性薬液封入容器２への対向面１ｂが放射性薬液封入容器２の外面２ｄに接触若しくは押圧する程度の寸法である。
【００１７】
又、吸収部材１における本体側容器３ａの開口側端部には、放射性薬液封入容器２側へ突出する突出部１ａが吸収部材１の端縁部に沿って連続的若しくは部分的に形成されている。このような突出部１ａは放射性薬液封入容器２における蓋２ｃと肩部２ｂとによって形成される凹部８へ突出する。尚、凹部８は、蓋２ｃと肩部２ｂとによって形成されるものに限定する概念ではなく放射性薬液封入容器の例えば蓋や外面等に形成された凹部をも含むものである。
【００１８】
このような突出部１ａは、放射性薬液封入容器２が外部容器３から排出されそうになったときには肩部２ｂと当接し放射性薬液封入容器２が外部容器３から排出されるのを防止する。
【００１９】
又、図１に示す放射性薬液封入容器用輸送容器の変形例として図４に示す放射性薬液封入容器用輸送容器がある。尚、図１及び図４において同じ構成部分には同一の符号を付しその説明を省略する。図４に示す放射性薬液封入容器用輸送容器では、本体側容器３ａの内面と放射性薬液封入容器２の外面との間のすき間は吸収部材１にてほぼ満たされている。
【００２０】
図５に示す放射性薬液封入容器用輸送容器１０において、放射性薬液封入容器１２はシリンジであり、外部容器１８は本体側容器１３と蓋側容器１５とを有し、本体側容器１３はコップ状であり例えばプラスチックからなる外容器１３ａと該外容器１３ａの内面を覆う例えば鉛からなる遮蔽体１３ｂから構成される。又、本体側容器１３の開口部には蓋側容器１５が取り付け可能であり、蓋側容器１５の内側であり放射性薬液封入容器１２に対面する部分には図２に示すように上述した吸水性ポリマーを有する吸収部材１６を取り付けることもできる。尚、図２は図５に示す放射性薬液封入容器用輸送容器の変形例を示す。
【００２１】
放射性薬液封入容器１２と遮蔽体１３ｂの内面とのすき間には、上述した吸水性ポリマーを有する吸収部材１１が遮蔽体１３ｂの内面に沿って連続的に若しくは部分的に取り付けられる。又、吸収部材１１は、放射性薬液封入容器１２の軸方向に位置しつば部１２ａが接触する、本体側容器１３の底部にも設けられる。
【００２２】
このように取り付けられる吸収部材１１には、図２に示すように、本体側容器１３の軸方向に沿って適宜な間隔にて凸部１１ａを形成させてもよい。
尚、取り付けられる吸収部材１１において対向する凸部１１ａ間の寸法Ａは約１５ｍｍであり、放射性薬液封入容器１２のつば部１２ａと上記凸部１１ａとのすき間１７ａの寸法は約１ｍｍであり、放射性薬液封入容器１２の本体部分の外面１２ｂと上記凸部１１ａとのすき間１７ｂの寸法は約２ｍｍである。
これらのすき間１７ａ，１７ｂは、万一、吸収部材１１が放射性薬液を吸水したときには上記凸部１１ａの表面が放射性薬液封入容器１２のつば部１２ａ、外面１２ｂに接触若しくは押圧する程度の寸法である。
【００２３】
尚、凸部１１ａは、上記軸方向に一つのみ配置してもよいし複数形成されてもよい。尚、凸部１１ａを一つのみ設ける場合には、つば部１２ａに対応した位置に設けるのが好ましい。このように凸部１１ａを設けることは、図示するようにつば部１２ａを本体側容器１３の底部に位置させる収納方法においては、つば部１２ａと吸収部材１１とのすき間が吸収部材１１の全長にわたりすき間１７ａに示す寸法にて形成されている場合に比べ、つば部１２ａが上記すき間１７ａを通過する距離が短くなり、本体側容器１３への放射性薬液封入容器１２の出し入れが容易になる。
又、万一、放射性薬液封入容器１２が破損し内部の放射性薬液が流出し、かつ外部容器１０が横倒しになった場合、凸部１１ａが堰となり上記放射性薬液が蓋側容器１５側へ突出するのを防止することもできる。
又、吸収部材１１の全体にわたり上記吸水性ポリマーを含ませてもよいが、凸部１１ａの部分のみに吸水性ポリマーを配置するようにしてもよい。
このように吸収部材１１は、外部容器１３に収納された放射性薬液封入容器１２に対し外部容器１３に作用する衝撃の吸収作用をし、又、万一、放射性薬液封入容器１２が破損したり、液漏れを起こしたりして内部の放射性薬液を吸水したときには放射性薬液封入容器１２を保持する作用を行う。
【００２４】
図３に示す放射性薬液封入容器用輸送容器２０も図２及び図５に示す放射性薬液封入容器用輸送容器１０と同様に、放射性薬液封入容器２２はシリンジであり、外部容器２８は本体側容器２３と蓋側容器２５とを有し、本体側容器２３はコップ状であり例えばプラスチックからなる外容器２３ａと該外容器２３ａの内面を覆う例えば鉛からなる遮蔽体２３ｂから構成される。尚、放射性薬液封入容器２２の軸方向に沿って側面には、放射線シールド装置２２ｂが装着されている。又、本体側容器２３の開口部には蓋側容器２５が取り付け可能であり、蓋側容器２５の内側にも遮蔽体２５ａが設けられる。尚、放射性薬液封入容器２２は、図示するように本体側容器２３の開口側においてつば部２２ａの側縁部が遮蔽体２３ｂに支持された状態にて本体側容器２３内につり下げ固定される。
放射性薬液封入容器２２と遮蔽体２３ｂの内面とのすき間には、上述した吸水性ポリマーを有する長方形のシート状の吸収部材２１が遮蔽体２３ｂの内面に沿って取り付けられる。尚、吸収部材２１は、放射性薬液封入容器２２の側面側にのみ設けられ、放射性薬液封入容器２２の軸方向であって本体側容器２３の底部には設けられていない。
【００２５】
尚、吸収部材２１の内面と放射性薬液封入容器２２との間のすき間２７は、万一、放射性薬液封入容器２２が破損したり、液漏れを起こしたりして内部の放射性薬液を吸収部材２１が吸水したときには、吸収部材２１の内面が放射性薬液封入容器２２の側面に接触若しくは押圧する程度の寸法である。
上記放射性薬液封入容器２２は、本体側容器２３内に収納され、前述のごとくつば部２２ａの側縁部において遮蔽体２３ｂに支持された状態にしてしっかり固定されているため、放射性薬液封入容器２２が破損するほどの大きな衝撃が放射性薬液封入容器２２にかかる可能性は極めて低い。しかし、万一、放射性薬液封入容器２２が破損したり、液漏れを起こしたりして内部の放射性薬液を当該吸収部材２１が吸水したときには、吸収部材２１は放射性薬液封入容器２２を保持する作用を行う。
【００２６】
以下に、吸収部材としての吸水性ポリマーシートの具体例を示す。
−具体例Ａ−
７５％が水酸化ナトリウムにより中和された部分中和アクリル酸ナトリウム水溶液にメチレンビスアクリルアミド０．１モル％（対アクリル酸ナトリウムモノマー）および過硫酸ナトリウム１．０ｇ／モル（対アクリル酸ナトリウムモノマー）を溶解し４０重量％のモノマー水溶液を調整した。このモノマー水溶液に、ポリエチレン−ポリプロピレン複合繊維からなる坪量２５ｇ／ｍ２の不織布を浸漬し、該水溶液を含浸した後ローラーで絞り取って不織布に対するモノマー水溶液の付着量を１２０ｇ／ｍ２とした。この含浸物を加熱しラジカル重合を行い、吸水性ポリマーが不織布に直接固着した第１吸水性ポリマーシートを得た。このシートの厚さは０．５ｍｍであり、純水及び生理食塩液の吸水倍率はそれぞれ８０倍、２０倍であった。
【００２７】
−具体例Ｂ−
分子量２０万の部分中和アクリル酸ナトリウム（中和率７５％）の２０重量％水溶液を坪量３０ｇ／ｍ２のポリエステル繊維からなる不織布に付着し、水溶液の付着量を１５０ｇ／ｍ２とした。このものにγ線を１００ＫＧｙ照射し、乾燥し吸水性ポリマーが不織布に直接固着した第２吸水性ポリマーシートを得た。このものの純水及び生理食塩液の吸水倍率はそれぞれ７５倍、１９倍であった。
【００２８】
−具体例Ｃ−
７５％が水酸化ナトリウムにより中和された部分中和アクリル酸ナトリウム水溶液にメチレンビスアクリルアミド０．０５モル％（対アクリル酸ナトリウムモノマー）および過硫酸ナトリウム１．０ｇ／モル（対アクリル酸ナトリウムモノマー）を溶解し４０重量％のモノマー水溶液を調整した。このモノマー水溶液を温度８０℃に加熱されたテフロンコーティングされたベルト上に流しモノマーの重合を行った。重合後のゲルをベルトからかきとり１５０℃で乾燥した後粉砕し吸水性ポリマーを得た。このものの純水及び生理食塩液の吸水倍率はそれぞれ３００倍、４０倍であった。このものを２枚の紙の間に散布しエンボス加工して、吸水性ポリマーが２枚の紙の間に狭持された第３吸水性ポリマーシートを得た。散布量は４０ｇ／ｍ２であった。
【００２９】
−具体例Ｄ−
上記具体例Ａで用いたモノマー水溶液を厚さ５ｍｍ、坪量８０ｇ／ｍ２のウレタン製スポンジにモノマー水溶液の付着量が２５０ｇ／ｍ２となるよう含浸した後、重合し、吸水性ポリマーがスポンジ基材に直接固着した第４吸水性ポリマーシートを得た。この第４吸水性ポリマーシートの純粋及び生理食塩液の吸水倍率はそれぞれ３８倍、１６倍であった。
【００３０】
次に上記具体例ＡないしＤに説明した第１ないし第４吸水性ポリマーシートを吸収部材１，１１，２１として、図１ないし図３を参照し説明したように配置した放射性薬液封入容器用輸送容器の具体例を説明する。尚、説明の簡略化のため、凸部１１ａ等についての重複説明は省略する。
【００３１】
−具体例１−
上記具体例ＡからＤで得られた、第１なしい第４吸水性ポリマーシートのそれぞれを直径８．５ｃｍ（表面積５６ｃｍ２）の円形状に裁断し、そのそれぞれを図１に示すような、４ｍｌガラス製バイアルにてなる放射性薬液封入容器２の廻りに巻き、鉛製の各本体側容器３ａに収納した。尚、このとき、放射性薬液封入容器２と吸水性ポリマーシートとの間には部分的に接触してもよい図１に示すすき間７が形成されている。ついで放射性薬液（過テクネチウム酸ナトリウム（９９ｍＴｃ）注射液）をそれぞれ３ｍｌずつ各放射性薬液封入容器２に入れた。そして本体側容器３ａに蓋側容器３ｂを取り付けた。尚、この場合、蓋側容器３ｂには吸収部材６は設けていない。
【００３２】
これら全ての本体側容器３ａは、手で振動させたが収納した放射性薬液封入容器２が本体側容器３ａから抜け落ちたり、破損することもなかった。また、表１に示すように放射性薬液封入容器２に巻いた吸収体の生理食塩液に対する吸水量は３ｍｌ〜１１ｍｌであり、放射性薬液封入容器２に注入した３ｍｌの薬液を流出させた場合にあっても薬液は十分に吸収され、薬液が本体側容器３ａより外へ漏出することはなかった。また、放射性薬液を吸収後に吸水性ポリマーシートが本体側容器３ａから脱落することはなく処理も容易であった。従って、図１に示す放射性薬液封入容器用輸送容器９において、放射性薬液の輸送および保存は好適に行うことができた。
さらに注射液を使用するため放射性薬液封入容器２を本体側容器３ａから少し抜いた際にも放射性薬液封入容器２が抜け落ちることはなかった。
【００３３】
【表１】
0003630772.tif 000002
尚、上記「厚さ」の欄において、第４吸水性ポリマーシートについてはスポンジに取り付けた場合を示す。
【００３４】
−具体例２−
上記具体例ＡからＣで得られた第１なしい第３吸水性ポリマーシートをそれぞれ表面積６３ｃｍ２からなるコップ状に成形して、容量４ｍｌガラス製バイアルにてなる放射性薬液封入容器２を上記コップ状に成形した吸水性ポリマーシート内に納め、鉛製の本体側容器３ａの中に入れた。次いで放射性薬液（過テクネチウム酸ナトリウム（９９ｍＴｃ）注射液）をそれぞれ３ｍｌずつ各放射性薬液封入容器２へ入れた。これら全ての本体側容器３ａは、手で振動させたが収納した放射性薬液封入容器２が本体側容器３ａから抜け落ちたり、破損することはなかった。また、表２に示すように、放射性薬液封入容器２のまわりのコップ状の吸水性ポリマーシートの生理食塩液に対する吸水量は約４ｍｌ〜１０ｍｌであり、放射性薬液封入容器２に注入した３ｍｌの薬液を流出させた場合にあっても薬液は素早く吸収され、薬液が本体側容器３ａより外へ漏出することはなかった。また、放射性薬液を吸収後に吸水性ポリマーシートが本体側容器３ａから脱落することはなく処理も容易であった。従って、図１に示す放射性薬液封入容器用輸送容器９において、放射性薬液の輸送および保存は好適に行うことができた。さらに注射液を使用するため放射性薬液封入容器２を本体側容器３ａから少し抜いた際にも放射性薬液封入容器２が抜け落ちることはなかった。
【００３５】
【表２】
0003630772.tif 000003
【００３６】
−具体例３−
上記具体例ＡからＣで得られた第１ないし第３吸水性ポリマーシートのそれぞれを１１ｃｍ×７ｃｍの長方形に裁断し、それぞれ図２に示すように、放射性薬液（過テクネチウム酸ナトリウム（９９ｍＴｃ）注射液）２．５ｍｌを封入したシリンジ型バイアルからなる放射性薬液封入容器１２と鉛製の遮蔽体１３ｂとの間に挿入した。又、本体側容器１３ａの開口部には蓋側容器１５を取り付けた。
これら全ての外部容器１８は振動などによっても収納した放射性薬液封入容器１２が破損することはなかった。表３に示すように、挿入した吸水性ポリマーシートの生理食塩液に対する吸収量は十分であることから、放射性薬液封入容器１２内に収納されている注射液２．５ｍｌを流出させた場合にあっても薬液は吸水性ポリマーシートに素早く吸収され、吸収後に吸水性ポリマーシートが脱落することはなく処理も容易であった。このように図２に示す放射性薬液封入容器用輸送容器１０を利用した放射性薬液の輸送および保存は好適に行うことができた。また、放射性薬液封入容器１２内の注射液を使用するために放射性薬液封入容器１２の放射線シールド装置への移行はゲル弾性を低下させることにより容易に行えた。
【００３７】
【表３】
0003630772.tif 000004
【００３８】
−具体例４−
上記具体例Ｄで得られた第４吸水性ポリマーシートを図３に示すように放射性薬液（過テクネチウム酸ナトリウム（９９ｍＴｃ）注射液）２．５ｍｌを封入したシリンジ型バイアルである放射性薬液封入容器２２が装着された放射線シールド装置２２ｂと鉛製の遮蔽体２３ｂの間に挿入した。このような外部容器２８を手で振動させたが収納した放射性薬液封入容器２２が破損することはなかった。ここで用いた吸水性ポリマーシートの生理食塩液に対する吸収量は６ｍｌであり、放射性薬液封入容器２２内の注射液２．５ｍｌを流出させた場合にあっても薬液は上記吸水性ポリマーシートに素早く吸収される。又、吸収後に吸水性ポリマーシートが外部容器２０から脱落することはなく処理も容易であった。このように図３に示す放射性薬液封入容器用輸送容器２０により放射性薬液の輸送および保存は好適に行うことができた。
【００３９】
このように本実施例の放射性薬液封入容器用輸送容器によれば、放射性薬液封入容器と遮蔽体との間に、吸水性ポリマーを有する吸収部材を設けたので、外部容器に作用した衝撃は吸収されて放射性薬液封入容器へ伝わる。よって放射性薬液の輸送中や保存中に外部容器の振動や、転倒や、落下等が発生しても放射性薬液封入容器が破損したり変形したりすることを防止することができる。
【００４０】
又、万一、放射性薬液を収納した放射性薬液封入容器が変形したり破損して収納する放射性薬液が流出しても、上記吸収部材の吸水性ポリマーにて流出した放射性薬液を素早く吸収するので、外部容器の外へ放射性薬液が漏出し周囲を汚染することが防止できる。
【００４１】
上記吸収部材の吸水性ポリマーのゲル弾性をコントロールすることで、放射性薬液封入容器と本体側容器内面との間に吸収部材を押圧若しくは接触せしめることにより、放射性薬液封入容器が本体側容器から抜け落ちたりすることを防ぐようにすることも可能である。
【００４２】
【発明の効果】
以上詳述したように本発明によれば、放射性薬液封入容器と遮蔽体との間の衝撃力を吸収するとともに放射性薬液封入容器が破損し放射性薬液を吸収したときには膨張する吸収部材を備えたことより、放射性薬液の輸送中や保存中に放射性薬液封入容器が破損することを防ぐと共に、万一放射性薬液封入容器が破損したり、液漏れを起こした場合にも収納している放射性薬液が放射線遮蔽容器外へ漏出するのを防止することができる放射性薬液封入容器用輸送容器を提供することができる。
【図面の簡単な説明】
【図１】本発明の放射性薬液封入容器用輸送容器の一実施例を示す断面図である。
【図２】本発明の放射性薬液封入容器用輸送容器の他の実施例を示す断面図である。
【図３】本発明の放射性薬液封入容器用輸送容器の他の実施例を示す断面図である。
【図４】図１に示す放射性薬液封入容器用輸送容器の他の実施例を示す断面図である。
【図５】図２に示す放射性薬液封入容器用輸送容器の他の実施例を示す断面図である。
【符号の説明】
１…吸収部材、２…放射性薬液封入容器、３…外部容器、
３ａ…本体側容器、３ｂ…蓋側容器、６…吸収部材、７…すき間、
８…凹部、９，１０…放射性薬液封入容器用輸送容器、
１１…吸収部材、１１ａ…凸部、１２…放射性薬液封入容器、
１３…本体側容器、１３ａ…外容器、１３ｂ…遮蔽体、１５…蓋側容器、
１６…吸収部材、１７ａ，１７ｂ，１７ｃ…すき間、
１８…外部容器、２０…放射性薬液封入容器用輸送容器、
２１…吸収部材、２２…放射性薬液封入容器、２３…本体側容器、
２３ａ…外容器、２３ｂ…遮蔽体、２５…蓋側容器、２５ａ…遮蔽体
２８…外部容器。
【図１】
0003630772.tif 000005
【図２】
0003630772.tif 000006
【図３】
0003630772.tif 000007
【図４】
0003630772.tif 000008
【図５】
0003630772.tif 000009